(57)【特許請求の範囲】
【請求項１】
一対の布片に固着された左右のファスナー歯を噛合させ、スライダーを外した状態の複数のファスナー部材を縫い合わせて作成した接ぎ布を所望の箇所に縫製することにより補強された防護用カバーであって、前記所望の箇所が、ファスナー部材により第一の方向に補強された第一の層と、ファスナー部材により第一の方向とは異なる第二の方向に補強された第二の層とを備えること、および、防護用カバーの安全性を高めたい箇所を金属製のファスナー歯を有するファスナー部材により補強し、可動性を高めたい箇所を樹脂製のファスナー歯を有するファスナー部材により補強したことを特徴とする防護用カバー。
【請求項２】
第一の方向のファスナー部材と第二の方向のファスナー部材が格子状に形成されていることを特徴とする請求項１に記載の防護用カバー。
【請求項３】
第一の層が表皮であり、第二の層が裏皮からなることを特徴とする請求項１または２に記載の防護用カバー。
【請求項４】
上布と、下布と、上布に設けられた紐部材とを備え、上布および下布に複数のファスナー部材を設けたことを特徴とする請求項１から３のいずれかに記載の防護用カバー。
【請求項５】
防護用カバーが、手や足に取り付ける防護用カバー、胸前掛け、または作業用エプロンであることを特徴とする請求項１から４のいずれかに記載の防護用カバー。
【発明の詳細な説明】
【技術分野】
【０００１】
本発明は、ファスナー部材を用いた被服類の補強方法およびその被服類に関する。なお、本明細書において、「被服類」とは、被服に限定されるものではなく、一定以上の面積を有する布が用いられた製品（布製品）、一定以上の面積を有する皮革が用いられた製品（皮革製品）を意味しており、例えば、衣類、手袋、靴、靴下、マスク、帽子、ベルト、鞄、防護用カバーがあげられる。
【背景技術】
【０００２】
鉱業、農林業、土木建設業、製造業等においては、重機運転、資材運搬、電機工事、溶接、組立等の作業において、革等の補強部材を縫い付けて作業者の手の保護を図る作業手袋が知られている。
作業用手袋においては、通気性や作業性を損なわずに手袋を補強することが必要である。特許文献１および２には、金属製鎖を網状布製テープで貼り付けて縫合した作業手袋が開示される。
【０００３】
特許文献３には、耐刃機能の高い鎖をミシンにより取着する防刃手袋の製造方法が開示される。
【０００４】
特許文献４には、防塵手袋の破損部分を補修したり手袋の任意の部分を補強することができ、手袋の長期使用を可能にするとともに、手袋の操作性が低下することがない補修・補強フィルムが開示される。
【０００５】
【特許文献１】実公昭６１−２６４２号公報
【特許文献２】特開平５−１２５６０３号公報
【特許文献３】特許第３９０１３６６号公報
【特許文献４】特開２００５−９７７６０号公報
【発明の開示】
【発明が解決しようとする課題】
【０００６】
しかしながら、金属製鎖により布類を補強するためには、網状布製テープ等を用いる必要があった。すなわち、金属製鎖を直接布類に縫合することは困難であり、任意の箇所を耐久性のある態様で補強することは困難であった。
【０００７】
特許文献３には、鎖を縫合するための専用のミシンを用いた防刃手袋の製造方法が開示されるが、専用のミシンを必要とするだけではなく、製造工程が複雑であり、製造コストが嵩むという課題があった。また、特許文献３に開示される製造方法は、汎用性をもって任意の製品の任意の箇所に鎖を縫合することは困難であった。
【０００８】
本発明は、被服類の所望の箇所を簡易に補強することができる方法および所望の箇所が補強された被服類を提供することを目的とする。
【課題を解決するための手段】
【０００９】
発明者は、被服類を金属製部品等により補強することを試みたが、任意の箇所に汎用性をもって鎖を縫合すること、すなわち汎用機械による縫製工程により製造することは困難を極めた。
汎用性をもって補強することの意義は、種々の用途に応じた作業用手袋等の製品を高品質かつ廉価に提供することにある。例えば、林業用の作業手袋の場合、切断するための木材を抑えるための利き手の反対の手の親指および人指し指を特に補強する必要がある。写真用フィルムを切断するための作業用手袋も同様であり、フィルムを抑えるための利き手の反対の手の親指および人指し指のみを補強する必要がある。これらの用途毎に専用の機械や部品の準備をしていては高品質かつ廉価な製品を提供することはできない。
発明者は、鋭意工夫の結果、ファスナーを用いて被服類を補強すること着想を得、本発明をなした。開閉部材であるファスナーを、開かずに使うという発想の転換に基づく発明である。
【００１０】
第１の発明は、ファスナー部材により被服類の所望の箇所を補強する方法であって、一対の布片に固着された左右のファスナー歯を噛合させ、スライダーを外した状態のファスナー部材を用いて補強することを特徴とする被服類の補強方法である。
第２の発明は、第１の発明において、複数のファスナー部材を縫い合わせて接ぎ布とすることにより、或いは当て布として被服類に縫い付けることにより、被服類の所望箇所を補強することを特徴とする。
第３の発明は、第１または２の発明において、前記所望の箇所が、ファスナー部材により第一の方向に補強された第一の層と、ファスナー部材により第一の方向と異なる第二の方向に補強された第二の層とを備えることを特徴とする。
第４の発明は、第１ないし３のいずれかの発明において、被服類の安全性を高めたい箇所を金属製のファスナー歯を有するファスナー部材により補強し、可動性を高めたい箇所を樹脂製のファスナー歯を有するファスナー部材により補強することを特徴とする。
第５の発明は、第１ないし４のいずれかの発明において、被服類が防護用カバーであることを特徴とする。
第６の発明は、第１ないし４のいずれかの発明において、被服類が作業用手袋であることを特徴とする。
【００１１】
第７の発明は、ファスナー部材により所望の箇所を補強された被服類であって、一対の布片に固着された左右のファスナー歯を噛合させ、スライダーを外した状態のファスナー部材を用いて補強したことを特徴とする被服類である。
第８の発明は、第７の発明において、前記所望の箇所が、複数のファスナー部材を縫い合わせて接ぎ布とすることにより、或いは当て布として被服類に縫い付けることにより補強されることを特徴とする。
第９の発明は、第７または８の発明において、前記所望の箇所が、ファスナー部材により第一の方向に補強された第一の層と、ファスナー部材により第一の方向と異なる第二の方向に補強された第二の層とを備えることを特徴とする。
第１０の発明は、第７ないし９のいずれかの発明において、被服類が防護用カバーであることを特徴とする。
第１１の発明は、第７ないし９のいずれかの発明において、被服類が作業用手袋であることを特徴とする
第１２の発明は、第１１の発明において、親指および人指し指が前記ファスナー部材により補強されることを特徴とする。
【発明の効果】
【００１２】
本発明によれば、被服類の所望の箇所を簡易に補強することができる方法および所望の箇所が補強された被服類を提供することができる。
【発明を実施するための最良の形態】
【００１３】
最良の形態の本発明は、ファスナー部材により所望の箇所を補強された被服類であって、一対の布片に固着された左右のファスナー歯を噛合させ、スライダー（引手および胴体）を外した状態のファスナー部材を所望の箇所に縫合して補強したことを特徴とする。本発明においては、開閉されることが前提とされるファスナーを噛合した状態のまま補強部材として用いることに創作性がある。
縫合は、パッチワークの態様で、ファスナー部材複数のを縫い合わせて接ぎ布（布地）とすることにより、或いは当て布として被服類に縫い付けることにより行われる。一般に、パッチワークとは、さまざまな柄布、素材、色、大きさ、形の小さい布を接ぎ合せて、１枚の大きな布にする技法であり、パッチは接ぎ、当て布を意味し、決まった形の布を縫い合わせて作るピースドワークと、一定の形に切り抜いたものを地布に縫い付けて行くアップリケワークに大別される。本発明においては、一のファスナー部材（種々のタイプが存在する。）を布片の基本単位とし、ミシンを用いて縫い合わせて、あるいは縫い付けをする。
本発明のファスナー部材においては、ファスナー歯が布片（耳）に固着されているので、布片部分を被服類に縫止することで任意の箇所を所望の本数のファスナー部材（当て布）により容易に補強することが可能である。あるいは布片部分を縫い合わせて決まった形の布を材をつくり、被服類に縫い上げることで任意の箇所を所望の本数のファスナー部材（接ぎ布）により容易に補強することが可能である。所望の箇所を補強された被服類は、それの装着者を各種の危険から守るための安全性と可動性が要求されるが、被服類の装着（使用）目的により該安全性には軽重の差があり、また、該可動性にも軽重がある。被服類の装着（使用）目的によりファスナー部材の種類、大きさ、材料（歯取付用布片、ファスナー歯）などが選択される。
【００１４】
ファスナー部材は、ポリエステル、ナイロン等で製造された樹脂ファスナーやアルミ、丹銅、洋白等で製造された金属ファスナーにより構成することができる。可動性を高めたい場所には樹脂ファスナーを使用し、安全性を高めたい場所には金属ファスナーを使用することが好適である。樹脂ファスナーと金属ファスナーを併用してもよく、被服類が作業用手袋である場合、親指から人指し指にかけて金属ファスナーで補強し、他の部分（例えば、中指から小指にかけて）は樹脂ファスナーで補強することが例示される。なお、軽量性が重視される場合には、樹脂ファスナーが適していることは当然である。
【００１５】
また、ファスナー部材は、用途に応じて、防水性があるもの、水密・気密性があるもの、耐薬品性があるもの、静電防止性があるもの、電磁波用のもの、耐熱性があるもの、伸縮性があるもの、或いは難燃性のものを適宜選択することができる。
ファスナー部材の大きさは、用途に応じて種々のものを選択することができるが、例えば、エレメント（務歯）幅が２ｍｍ〜１０ｍｍのものを使用することが開示される。エレメントのサイズが大きくなるのに伴い可動性が損なわれ、反面、補強性が向上することを考慮し、適宜最適なサイズのものを選択する。
【００１６】
好ましくは、被服類の所望の箇所を、ファスナー部材により第一の方向に補強された第一の層と、ファスナー部材により第一の方向と異なる第二の方向に補強された第二の層とを備える複数層で構成する。例えば、ファスナー部材を格子状に配置して補強することにより、多数の方向からの危険に対する安全性を高めることが可能となる。
【００１７】
本発明の変形態様としては、一のファスナー歯および一の歯取付用布片のみにより被服類を補強する態様が例示される。すなわち、ファスナー歯の付け根の近傍ないしは紐芯の近傍を被服類に縫合することにより、補強強度は劣るものの、一のファスナー歯および一の歯取付用布片のみにより被服類を補強することが可能である。
【００１８】
以下では、本発明を実施するための最良の形態を実施例で説明するが、本発明は実施例に何ら限定されるものではない。
【実施例１】
【００１９】
実施例１は、掌側を補強した作業用手袋に関する。
図１は、ファスナー部材１０を取り付けた作業用手袋１を掌側からみた全体図である。
甲皮３は、手の甲と同形であり、掌皮４は、掌と同形である。甲皮３および掌皮４は、公知の強化繊維により構成される。
【００２０】
ファスナー部材１０の配置を、図１を参照しながら説明する。なお、図１中、ファスナー部材１０を縫合するミシン目は図示省略している。
ファスナー部材１０は、掌皮４に略等間隔に長手方向に４つ設けられている。すなわち、中指から小指までの指には、指先から手首にかけて長手方向にファスナー部材１０が３つ設けられており、人差し指の指先から親指の指先にかけてファスナー部材１０が１つ設けられている。
なお、ファスナー部材１０の数、配置位置、並びに、配置方向は、適宜変更可能であり、例えば、人指し指と親指を２つのファスナー部材１０により補強してもよい。
【００２１】
次に、ファスナー部材１０の具体的な構成を、図２を参照しながら説明する。
ファスナー部材１０は、歯取付用布片１１Ａ、１１Ｂと、ファスナー歯１２Ａ、１２Ｂと、芯紐１３Ａ、１３Ｂと、留め具１４とから構成される。ファスナー部材１０は、ファスナー歯１２Ａと１２Ｂが噛合した状態で使用されることから、スライダーは取り外されている。
【００２２】
歯取付用布片１１Ａ、１１Ｂは、ファスナー専用のテープであり、用途によって合繊テープ、綿テープなどが用いられる。歯取付用布片１１Ａ、１１Ｂには、芯紐１３Ａ、１３Ｂが縫合されている。
ファスナー歯１２Ａ、１２Ｂは、芯紐１３Ａ、１３Ｂに縫合され、噛合した状態にある。
図２中、符号１４は、下止である。本実施例では上止を設けていないため、スライダーの取り外しは容易である。
【００２３】
以上の構成を有する本実施例の作業用手袋１は、ファスナー部材１０を補強用部材として用いるため、補強用部材の縫製が容易である。また、本実施例では掌皮４にファスナー部材１０（当て布）を縫製する構成としているが、ファスナー部材１０（接ぎ布）そのものにより掌皮４を構成してもよく、この場合歯取付用布片１１が掌皮４を構成することとなる。
【実施例２】
【００２４】
実施例２は、掌側および甲側を補強した作業用手袋に関する。
本実施例の作業用手袋１は、図３に示す如く、ファスナー部材１０（接ぎ布）により補強された甲皮３と掌皮４とから構成される。
甲皮３は、５本のファスナー部材１０を同一方向に連設してなる布地により構成される。ファスナー部材１０は、親指から小指までの各々の指につき、指先から手首にかけて縦方向に縁部が重なるように配置され、縁部は、図３中、細い点線で図示する位置で縫合されている。
掌皮４には、４本のファスナー部材１０が設けられており、構成および配置態様は実施例１と同様である。ただし、掌皮４が同一方向に連設してなる布地により構成され、その縁部が甲側のファスナー部材１０の歯取付用布片１１に縫合されている点で相違する。
【００２５】
本実施例の作業用手袋１は、甲皮３をもファスナー部材１０により補強することにより、掌側のみならず甲側の安全性を高めている。また、甲皮３および掌皮４をファスナー部材１０の歯取付用布片１１で構成することにより、部品および縫製工程を少なくすることを可能としている。
【実施例３】
【００２６】
実施例３は、親指と人指し指を補強した作業用手袋に関する。
本実施例の作業用手袋１は、例えば、カッターナイフにより写真用フィルムを切断するための作業に用いられるものであり、カッターナイフにより怪我をするおそれのある親指と人指し指のみを補強している。
図４に示すように、親指は甲皮側を２本のファスナー部材１０（接ぎ布、当て布どちらでもよい。）により補強されている。人指し指は、掌側に１本、内側面に１本、甲側に１本の合計３本のファスナー部材１０（接ぎ布、当て布どちらでもよい。）により補強されている。
【００２７】
本実施例の作業用手袋１は、親指および人指し指のみをファスナー部材１０により補強することで親指と人指し指の安全性を高める一方、他の部分についてはファスナー部材１０を設けないことにより高い作業性を実現している。
【実施例４】
【００２８】
実施例４は、手や足に取り付けることのできる防護用カバーに関する。
図５に示すように、本実施例の防護用カバー１５は、表皮１６と、裏皮１７と、取付部材１８とから構成される。
表皮１６には、ファスナー部材１０が縦断方向に略等間隔に９つ設けられている。ここで、ファスナー部材１０（接ぎ布、当て布どちらでもよい。）を縦断方向に設けか横断方向に設けるかは用途に応じて適宜変更される設計事項である。
また、刃物に対する防御性を高めるために、格子状にファスナー部材１０を配置してもよく、例えば、表皮１６に縦断方向に配置し、裏皮１７に横断方向に配置してもよい。
【実施例５】
【００２９】
実施例５は、前腕部に取り付けることのできる防護用カバー、すなわちリストカバーに関する。
図６に示すように、本実施例の防護用カバー２５は、表皮２６と、裏皮２７と、取付部材２８とから構成される。
表皮２６には、ファスナー部材１０（接ぎ布、当て布どちらでもよい。）が縦断方向に複数設けられている。ここで、ファスナー部材１０を縦断方向に設けか横断方向に設けるかは用途に応じて適宜変更される設計事項であるが、可動性の観点からは縦方向に設けるのが好ましい。
取付部材２８は、一定の幅をもった面ファスナーであり、装着者の上腕部の太さに応じて締着性を調整することが可能である。
【実施例６】
【００３０】
実施例６は、上腕部に取り付けることのできる防護用カバー、すなわちアームカバーに関する。
図７に示すように、本実施例の防護用カバー３５は、表皮３６と、裏皮３７と、取付部材３８（図示せず）と、補強布３９とから構成される。
表皮３６および裏皮３７は、上腕部への装着に適した形状に構成される点を除いては、実施例５の防護用カバーと同様の構成である。
補強布３９は、手を進入させる側の縁部を補強するための部材であって、天然皮革や高機能繊維などにより構成される。
【実施例７】
【００３１】
実施例７は、脚部に取り付けることのできる防護用カバーに関する。
図８に示すように、本実施例の防護用カバー４５は、表皮４６と、裏皮４７と、取付部材４８（図示せず）とから構成される。
表皮４６および裏皮４７が脚部への装着に適した形状に構成される点を除いては、実施例５および６の防護用カバーと同様の構成である。
【実施例８】
【００３２】
実施例８は、下布を補強した防護用カバー（胸前掛けないしは作業用エプロン）に関する。
図９に示すように、本実施例の防護用カバー５５は、上布５６と、下布５７と、紐５８とから構成される。
下布５７は、縦方向に複数設けられたファスナー部材１０（接ぎ布、当て布どちらでもよい。）により補強されている。ファスナー部材１０の本数および配置方向は設計事項である。
本実施例においては上布５６をファスナー部材１０により補強していないが、上布５６についてもファスナー部材１０で補強できることはいうまでもない。
【産業上の利用可能性】
【００３３】
本発明は危険を伴う産業分野で使用される被服類に好適であり、特に下記の作業において好適である。
林材業：ナタによる枝払い作業
金属類を扱う作業：バリに触れる危険な作業
ガラス類を扱う作業：破片に触れる危険な作業
印刷業：カッターナイフを使用した作業
木工業：カッターナイフを使用した作業
警備業（警察業）：ナイフや包丁類に対峙する場面での作業
【図面の簡単な説明】
【００３４】
【図１】実施例１に係る作業用手袋を掌側からみた図である。
【図２】ファスナー部材の構成図である。
【図３】実施例２に係る作業用手袋の構成図である。
【図４】実施例３に係る作業用手袋の（Ａ）掌側の図、（Ｂ）甲側の図、（Ｃ）側面図である。
【図５】実施例４に係る防護用カバーの（Ａ）正面図と（Ｂ）背面図である。
【図６】実施例５に係る防護用カバー（前腕用）の構成図である。
【図７】実施例６に係る防護用カバー（上腕用）の構成図である。
【図８】実施例７に係る防護用カバー（脚用）の構成図である。
【図９】実施例８に係る防護用カバー（胸前掛けないしは作業用エプロン）の構成図である。
【符号の説明】
【００３５】
１  作業用手袋
３  甲皮
４  掌皮
１０  ファスナー部材
１１Ａ，１１Ｂ  歯取付用布片
１２Ａ，１２Ｂ  ファスナー歯
１３Ａ，１３Ｂ  芯紐
１４  下止
１５，２５，３５，４５，５５  防護用カバー
１６，２６，３６，４６  表皮
１７，２７，３７，４７  裏皮
１８，２８，３８，４８  取付部材
３９  補強布
５６  上布
５７  下布
５８  紐
【要約】
【課題】被服類の所望の箇所を簡易に補強することができる方法および所望の箇所が補強された被服類の提供。
【解決手段】  ファスナー部材により被服類の所望の箇所を補強する方法であって、
一対の布片に固着された左右のファスナー歯を噛合させ、スライダーを外した状態のファスナー部材を用いることを特徴とする被服類の補強方法およびその被服類。好ましくは、複数のファスナー部材を縫い合わせて接ぎ布とすることにより、或いは当て布として被服類に縫い付けることにより、被服類の所望箇所を補強する。
【選択図】図１【図１】
0004297963.tif 000002
【図２】
0004297963.tif 000003
【図３】
0004297963.tif 000004
【図４】
0004297963.tif 000005
【図５】
0004297963.tif 000006
【図６】
0004297963.tif 000007
【図７】
0004297963.tif 000008
【図８】
0004297963.tif 000009
【図９】
0004297963.tif 000010